(57)【要約】【課題】互いに異なった輝度重み付け値を有するフレームの発光中心を一致させることで画質を改善する。【解決手段】入力される垂直同期信号V-syncの順に基づいて、垂直同期信号判断部31（カウンタ）によって、最初に入力される垂直同期信号を奇数とカウントし、次に入力される垂直同期信号を偶数とカウントし、入力される垂直同期信号が奇数か偶数かを判断し、その結果をフレーム可変（変更）部34に送る。奇数フレームの場合は、フレーム期間を延ばし、偶数フレームの場合は、フレーム期間を減らすことで両フレーム間の発光中心を一致させる。フレーム期間の変更によって、フレーム期間が長くなる場合、奇数フレームは左側に移動し、フレーム期間が短くなる場合、偶数フレームは、右側に移動する。フレーム配列部37は、前記フレーム期間可変（変更）部34で変更されたフレーム期間内に、所定のフレームを配列させる。【選択図】図 ７【特許請求の範囲】
【請求項１】
第１の垂直同期信号および第２の垂直同期信号により決定される第１のフレーム期間と、前記第２の垂直同期信号および第３の垂直同期信号により決定される第２のフレーム期間とに分けられ、前記第１のフレーム期間に複数の第１の重み付け値フィールドを有する第１のフレームが配列されると共に、前記第２のフレーム期間に前記複数の第１の重み付け値フィールドのそれぞれと異なる輝度重み付け値を有する複数の第２の重み付け値フィールドを有する第２のフレームが配列され、所定の映像を表示するプラズマディスプレイパネルの駆動方法において、
前記第１のフレーム期間と前記第２のフレーム期間とが、互いに異なるように変更されることを特徴とするプラズマディスプレイパネルの駆動方法。
【請求項２】
前記第１のフレームの複数の重み付け値フィールド、および前記第２のフレームの複数の重み付け値フィールドにおける輝度重み付け値フィールドの大小によって、前記第１のフレーム期間および前記第２のフレーム期間が相対的に変更されることを特徴とする請求項１に記載のプラズマディスプレイパネルの駆動方法。
【請求項３】
前記変更された第１および第２のフレーム期間の全体長さは、一定に維持されることを特徴とする請求項１に記載のプラズマディスプレイパネルの駆動方法。
【請求項４】
前記第１および第２のフレーム期間の変更によって、前記第１および第２のフレームが移動されることを特徴とする請求項１に記載のプラズマディスプレイパネルの駆動方法。
【請求項５】
前記変更された第１および第２のフレーム期間は、入力階調の高低によって変更の程度が異なっていることを特徴とする請求項１に記載のプラズマディスプレイパネルの駆動方法。
【請求項６】
前記変更された第１および第２のフレーム期間は、平均輝度レベルの高低によって変更の程度が異なっていることを特徴とする請求項１に記載のプラズマディスプレイパネルの駆動方法。
【請求項７】
複数の重み付け値フィールドを有する第１のフレームが配列されると共に、前記複数の重み付け値フィールドのそれぞれと異なる輝度重み付け値を有する複数の重み付け値フィールドを有する第２のフレームが配列され、所定の映像を表示するプラズマディスプレイパネルの駆動方法において、
入力される垂直同期信号順に基づいてフレーム期間を変更するか否かを判断するステップと、
前記判断の結果に基づいてフレーム期間を変更するステップと、
前記変更されたフレーム期間に、前記第１および第２のフレームを移動配列させるステップと、
を含むことを特徴とするプラズマディスプレイパネルの駆動方法。
【請求項８】
前記フレーム期間は、前記垂直同期信号と次の垂直同期信号との間の長さであることを特徴とする請求項７に記載のプラズマディスプレイパネルの駆動方法。
【請求項９】
前記フレーム期間は、前記第１のフレームが配列される第１のフレーム期間と、前記第２のフレームが配列される第２のフレーム期間とに分けられることを特徴とする請求項７に記載のプラズマディスプレイパネルの駆動方法。
【請求項１０】
前記垂直同期信号の順番は、奇数番目または偶数番目のいずれか一方であることを特徴とする請求項７に記載のプラズマディスプレイパネルの駆動方法。
【請求項１１】
判断の結果、前記フレーム期間が長くなると、次のフレーム期間は、相対的に短くなることを特徴とする請求項７に記載のプラズマディスプレイパネルの駆動方法。
【請求項１２】
前記可変されたフレーム期間は、入力階調の高低によって変更の程度が異なることを特徴とする請求項７に記載のプラズマディスプレイパネルの駆動方法。
【請求項１３】
前記変更されたフレーム期間は、平均輝度レベルの高低によって変更の程度が異なることを特徴とする請求項７に記載のプラズマディスプレイパネルの駆動方法。
【請求項１４】
前記フレーム期間が長くなる場合、前記フレームは、左側に移動配列されることを特徴とする請求項７に記載のプラズマディスプレイパネルの駆動方法。
【請求項１５】
前記フレーム期間が短くなる場合、前記フレームは、右側に移動配列されることを特徴とする請求項７に記載のプラズマディスプレイパネルの駆動方法。
【請求項１６】
複数の重み付け値フィールドを有する第１のフレームが配列されると共に、前記複数の重み付け値フィールドのそれぞれと異なる輝度重み付け値を有する第２のフレームが配列され、所定の映像を表示するプラズマディスプレイパネルの駆動装置であって、
入力される垂直同期信号順に基づいて、フレーム期間を変更するか否かを判断するための手段と、
前記判断の結果に基づいてフレーム期間を変更するための手段と、
前記変更されたフレーム期間に、前記第１および第２のフレームを移動配列させるための手段と、
を備えることを特徴とするプラズマディスプレイパネルの駆動装置。
【請求項１７】
前記フレーム期間は、前記垂直同期信号と次の垂直同期信号との間の長さであることを特徴とする請求項１６に記載のプラズマディスプレイパネルの駆動装置。
【請求項１８】
前記垂直同期信号の順番は、奇数番目または偶数番目のいずれか一方であることを特徴とする請求項１６に記載のプラズマディスプレイパネルの駆動装置。
【請求項１９】
入力階調の高低によって、前記変更されたフレーム期間の変更の程度を調節するための手段をさらに備えることを特徴とする請求項１６に記載のプラズマディスプレイパネルの駆動装置。
【請求項２０】
平均輝度レベルの高低によって前記変更されたフレーム期間の変更の程度を調節するための手段をさらに備えることを特徴とする請求項１６に記載のプラズマディスプレイパネルの駆動装置。
【請求項２１】
前記変更手段は、前記フレーム期間を長くする場合、次のフレーム期間は、相対的に短くすることを特徴とする請求項１６に記載のプラズマディスプレイパネルの駆動装置。
【発明の詳細な説明】
【技術分野】
【０００１】
本発明は、プラズマディスプレイパネルに関し、特に、画質を改善したプラズマディスプレイパネルの駆動方法に関する。
【背景技術】
【０００２】
プラズマディスプレイパネル（Plasma Display Panel、以下「ＰＤＰ」という。）
は、Ｈｅ＋Ｘｅ、Ｎｅ＋ＸｅまたはＨｅ＋Ｎｅ＋Ｘｅなどの不活性混合ガスの放電時に発生する１４７ｎｍの紫外線によって蛍光体を発光させることで、文字またはグラフィックを含む画像を表示する。かかるＰＤＰは、薄型化と大型化が容易であるだけでなく、最近の技術開発によって高画質の提供が可能となる。特に、交流型３電極面放電方式のＰＤＰは、放電時、表面に壁電荷が蓄積され、放電により発生されるスパッタリングから電極を保護しているため、低電圧駆動と長寿命の長所を有する。
【０００３】
図１は、従来の交流型３電極面放電方式のプラズマディスプレイパネルの放電セルを示す図である。
同図に示されたように、交流型３電極面放電方式のＰＤＰの放電セルは、上部基板１０上に形成されたスキャン電極Ｙおよびサステイン電極Ｚ、および下部基板１８上に形成されたアドレス電極Ｘを備える。スキャン電極Ｙとサステイン電極Ｚのそれぞれは、透明電極１２Ｙ、１２Ｚと、この透明電極１２Ｙ、１２Ｚの線幅より小さな線幅を有し、透明電極の一側縁部に形成される金属バス電極１３Ｙ、１３Ｚとを含む。
【０００４】
透明電極１２Ｙ、１２Ｚは、通常、ＩＴＯ（Indium−Tin− Oxide）からなり、上部基板１０上に形成される。金属バス電極１３Ｙ、１３Ｚは、通常、クロム（Ｃｒ）などの金属物質からなり、抵抗の高い透明電極１２Ｙ、１２Ｚによる電圧降下を減らす働きをする。スキャン電極Ｙとサステイン電極Ｚが並んで形成された上部基板１０には、上部誘電体層１４と保護膜１６が積層される。上部誘電体層１４には、プラズマ放電時に発生された壁電荷が蓄積される。
保護膜１６は、プラズマ放電時に発生したスパッタリングによる上部誘電体層１４の損傷を防止すると共に、二次電子の放出効率を向上させる。保護膜１６としては、通常、酸化マグネシウム（MgO）が使用される。
【０００５】
アドレス電極Ｘが形成された下部基板１８上には、下部誘電体層２２および隔壁２４が形成され、下部誘電体層２２と隔壁２４の各表面には、蛍光体層２６が塗布される。アドレス電極Ｘは、スキャン電極Ｙおよびサステイン電極Ｚと交差する方向に形成される。隔壁２４は、アドレス電極Ｘと並んで形成され、放電により生成された紫外線および可視光が隣接する放電セルへ漏れるのを防止する。蛍光体層２６は、プラズマ放電時に発生した紫外線により励起され、赤色、緑色および青色のいずれか１つの可視光線を発生する。上・下部基板１０、１８と隔壁２４との間に設けられた放電空間には、放電のためのＨｅ＋Ｘｅ、Ｎｅ＋ＸｅおよびＨｅ＋Ｎｅ＋Ｘｅなどの不活性混合ガスが注入される。
【０００６】
かかる３電極交流面放電型ＰＤＰは、画像の階調（Gray Level）を表現するため、１フレームを発光回数（例えば、サステインパルスの個数）の異なる複数のサブフィールドに分けて駆動している。各サブフィールドは、さらに放電を均一に発生させるためのリセット期間と、放電セルを選択するためのアドレス期間と、放電回数によって階調を表現するサステイン期間と、に分けられる。
【０００７】
例えば、図２のように、２５６階調で画像を表示しようとする場合は、１／６０秒に相当するフレーム期間（１６．６７ｍｓ）は、８つのサブフィールドＳＦ１〜ＳＦ８に分けられるようになる。さらに、８つのサブフィールドＳＦ１〜ＳＦ８のそれぞれは、リセットおよびアドレス期間と、サステイン期間とに分けられる。なお、各サブフィールドのリセット期間およびアドレス期間は、各サブフィールド毎に同一であるが、サステイン期間は、各サブフィールドにおいて輝度重み付け値によって２n（ｎ＝０、１、２、３、４、５、６、７）のレートで増加する。前述のように各サブフィールド毎における互いに異なる輝度重み付け値を組み合わせて所定の階調を表現することが可能である。
【０００８】
かかる従来のＰＤＰは、消費電力を一定に処理することができるように平均輝度レベル（Average Picture Level、以下「ＡＰＬ」と略す）によってサステインパルスの個数を調節することが可能である。
【０００９】
図３は、一般のＡＰＬによるサステインパルスの個数を示すグラフである。
同図に示されたように、ＰＤＰは、サステインパルスの個数によって明るさが決定されるため、平均明るさの暗い場合と明るい場合において全サステインパルス数を同じくすると、画質低下、電力消耗、パネル損傷などの問題点が発生することがあり得る。例えば、全ての入力映像に対してサステインパルスの個数を少なく設定する場合は、コントラストが減少するようになる。また、全ての入力映像に対してサステインパルスの個数を多く設定する場合は、暗い映像においても明るさが明るくなり、コントラストが向上する長所があるが、パワーの消耗が大きくなりパネルの温度が上昇するなど、パネルが損傷されるおそれがある。
【００１０】
従って、入力映像の平均明るさによって全サステインパルス数を適切に調節する必要がある。ここで、サステインパルスの個数は、図３のようにＡＰＬが比較的低い階調の範囲で急に増加し、高階調の範囲に行くほど減少する。従って、相対的に低い階調範囲のＡＰＬにおいてサステインパルスの個数が急に変化する。
【００１１】
図４は、従来のＰＤＰ駆動方法を示す電圧波形図である。
同図に示されたように、ＰＤＰは、全画面を初期化させるためのリセット期間ＲＰＤ、セルを選択するためのアドレス期間ＡＰＤ、および選択されたセルの放電を維持させるためのサステイン期間ＳＰＤに分けて駆動される。
【００１２】
リセット期間ＲＰＤにおいて、セットアップ期間には、全てのスキャン電極Ｙに立上がりランプ波形（Ramp-up）が同時に印加される。この立上がりランプ波形により全画面のセル内には微弱な放電が起こり、セル内に壁電荷が生成される。セットダウン期間には、立上がりランプ波形が供給された後、立上がりランプ波形のピーク電圧より低い正極性電圧から立下がるランプ波形（Ramp-down）が、スキャン電極Ｙに同時に印加される。立下がりランプ波形は、セル内に微弱な消去放電を起こすことで、セットアップ放電により生成された壁電荷および空間電荷のうち不要な電荷を消去させ、全画面のセル内にアドレス放電に必要な壁電荷を均一に残すようになる。
【００１３】
アドレス期間ＡＰＤには、負極性のスキャンパルスＳＰがスキャン電極Ｙに順次印加されると共に、アドレス電極Ｘに正極性のデータパルスＤＰが印加される。このスキャンパルスＳＰとデータパルスＤＰとの電圧差と、初期化期間に生成された壁電荷が加えられることで、データパルスＤＰが印加されるセル内に、アドレス放電が発生する。アドレス放電により選択されたセル内には、壁電荷が生成される。
【００１４】
なお、セットダウン期間とアドレス期間ＡＰＤの間、サステイン電極Ｚには、サステイン電圧レベルＶｓの正極性の直流電圧が供給される。
サステイン期間ＳＰＤには、スキャン電極Ｙとサステイン電極Ｚに交互にサステインパルスＳＵＰｙ、ＳＵＳＰｚが印加される。すると、アドレス放電により選択されたセルは、セル内の壁電圧とサステインパルスが加えられ、サステインパルスが印加される都度にスキャン電極Ｙとサステイン電極Ｚとの間に面放電の形態でサステイン放電が起こるようになる。最後に、サステイン放電が完了すると、パルス幅の小さな消去ランプ波形ＥＰがサステイン電極Ｚに供給され、セル内の壁電荷を消去させるようになる。
【００１５】
なお、従来は、１フレーム内において各サブフィールドのリセット期間ＲＰＤおよびアドレス期間ＡＰＤは、各サブフィールドにおいて同一であるが、サステイン期間ＳＰＤは、各サブフィールドにおいて輝度重み付け値が２n（ｎ＝０、１、２、３、４、５、６、７）のレートで増加する。このように各サブフィールドにおいてサステイン期間ＳＰＤが変化するため、画像の階調を具現することが可能となる。しかし、かかるフレームが、図５のように、垂直同期信号毎に同様に配置されているため、階調の表現には限界がある。図５は、サブフィールドの数が１２の場合であって、サブフィールドの個数は、表現しようとする階調によって種々に変形可能である。
【００１６】
従って、かかる階調表現の限界を克服するため、垂直同期信号毎に図６Ａおよ図６Ｂの２つのフレームを交互に配置することが提案されている。例えば、奇数フレーム（または偶数フレーム）には、図６Ａのように、１、６、１３、２３、３５、５１、７０、９１、１１６、１４５、１７６、２１１の重み付け値レートでサブフィールドを配置し、偶数フレーム（または奇数フレーム）には、図６Ｂのように、４、９、１８、２９、４３、６０、８０、１０３、１３０、１６０、１９３、１０９の重み付けレートでサブフィールドを配置する。このように各サブフィールドの輝度重み付け値が異なっている奇数フレームと偶数フレームとを垂直同期信号Ｖｓｙｎｃ毎に交互に使用する場合、階調表現力が、各サブフィールドの輝度重み付け値が同一なフレームを配置する場合に比べて、二倍以上増加することが可能である。このとき、サブフィールドの輝度重み付け値は、フレーム毎に互いにずれるように設定される必要がある。例えば、奇数フレームと偶数フレームの輝度重み付け値が１、４、６、９、１３、１８、２３、２９等と、ずれるように設定されることができる。
【００１７】
しかし、このようにフレーム毎に輝度重み付けがずれるように配置されると、発光中心が一致しなくなり、見にくくなる程度にフリッカを起こして画質が低下してしまう。即ち、各フレームの全サブフィールドがオンの時、奇数フレームの発光中心は、輝度重み付け値２１１の位置であるに対し、偶数フレームの発光中心は、輝度重み付け値１９３の位置となる。従って、両フレームにおける発光中心の位置の不一致で、フリッカが発生し、画質に致命的な悪影響を与える。
【発明の開示】
【発明が解決しようとする課題】
【００１８】
従って、本発明は、上記の問題点を解決するためになされたもので、本発明の目的は、互いに異なった輝度重み付け値を有するフレームの発光中心を一致させることで画質を改善することができるプラズマディスプレイパネルの駆動方法および装置を提供することにある。
【課題を解決するための手段】
【００１９】
上記の目的を達成するための本発明の好適な第１の実施形態によれば、第１の垂直同期信号および第２の垂直同期信号により決定される第１のフレーム期間と、前記第２の垂直同期信号および第３の垂直同期信号により決定される第２のフレーム期間とに分けられ、前記第１のフレーム期間に複数の重み付け値フィールドを有する第１のフレームが配列されると共に前記第２のフレーム期間に前記複数の重み付け値フィールドのそれぞれと異なる輝度重み付け値を有する複数の重み付け値フィールドを有する第２のフレームが配列され、所定の映像を表示するプラズマディスプレイパネルの駆動方法は、前記第１のフレーム期間と前記第２のフレーム期間とが互いに異なるように変更される。
前記変更された第１および第２のフレーム期間は、入力階調の高低またはＡＰＬによって可変程度が変化することができる。
【００２０】
本発明の好適な第２の実施形態によれば、複数の重み付け値フィールドを有する第１のフレームが配列されると共に前記複数の重み付け値フィールドのそれぞれと異なる輝度重み付け値を有する複数の重み付け値フィールドを有する第２のフレームが配列され、所定の映像を表示するプラズマディスプレイパネルの駆動方法は、入力される垂直同期信号順に基づいてフレーム期間が可変するか否かを判断するステップ、前記判断の結果に基づいてフレーム期間を変更するステップ、および前記変更されたフレーム期間に前記第１および第２のフレームを移動配列させるステップを含む。
前記フレーム期間は、前記第１のフレームが配列される第１のフレーム期間と前記第２のフレームが配列される第２のフレーム期間とに分けられることができる。
【００２１】
本発明の好適な第３の実施形態によれば、複数の重み付け値フィールドを有する第１のフレームが配列されると共に前記複数の重み付け値フィールドのそれぞれと異なる輝度重み付け値を有する第２のフレームが配列され、所定の映像を表示するプラズマディスプレイパネルの駆動装置は、入力される垂直同期信号順に基づいてフレーム期間を変更するか否かを判断するための手段、前記判断の結果に基づいてフレーム期間を変更するための手段、および前記変更されたフレーム期間に前記第１および第２のフレームを移動配列させるための手段を備える。
【発明を実施するための最良の形態】
【００２２】
以下、添付の図面に基づいて本発明のＰＤＰの駆動方法および装置を説明する。
説明に先立って、本明細書で使用されている用語を定義する。第１のフレームは、奇数フレームを、第２のフレームは、偶数フレームを意味する。また、第１のフレーム期間と第２のフレーム期間の全体長さは、一定に維持される。さらに、第１のフレーム期間は、第１の垂直同期信号と第２の垂直同期信号との間の長さであり、第２のフレーム期間は、第２の垂直同期信号と第３の垂直同期信号との間の長さを意味する。
【００２３】
図７は、本発明の好適な第１の実施例に係るＰＤＰの駆動装置を示す図である。なお、本発明の第１の実施例に係る駆動装置では、階調表現を増加させるために垂直同期信号Ｖsync毎に輝度重み付け値が互いに異なる２つのフレームが交互に配置される。
同図に示されたように、本発明の第１の実施例に係るＰＤＰの駆動装置は、垂直同期信号判断部３１、フレーム期間可変（変更）部３４およびフレーム配列部３７で構成される。
【００２４】
垂直同期信号判断部３１は、入力される垂直同期信号順に基づいてフレーム期間を変更するか否かを判断する。かかる判断のためにカウンターが使用されることもできる。例えば、最初に入力される垂直同期信号を奇数とカウントし、次に入力される垂直同期信号を偶数とカウントすることができる。このように垂直同期信号判断部３１は、入力される垂直同期信号が奇数か偶数かを判断し、その結果をフレーム可変（変更）部３４に提供する。
【００２５】
フレーム期間可変（変更）部３４は、垂直同期信号判断部３１から提供された判断結果に従ってフレーム期間を変更する。このとき、フレーム期間は、垂直同期信号と次の垂直同期信号との間の長さを意味する。換言すれば、フレーム期間可変（変更）部３４は、提供された判断結果に基づいて、垂直同期信号と次の垂直同期信号との間のフレーム期間を変更させる。
【００２６】
例えば、奇数フレームには、１、６、１３、２３、３５、５１、７０、９１、１１６、１４５、１７６、２１１の重み付け比でサブフィールドが配置され、偶数フレームには、４、９、１８、２９、４３、６０、８０、１０３、１３０、１６０、１９３、１０９の重み付け比でサブフィールドが配置することができる。勿論、奇数フレームと偶数フレームとは、互いに置き換え可能である。従来は、フレーム期間が一定であるため、各フレーム期間に奇数フレームと偶数フレームを配列する場合、両フレーム間に互いに異なった輝度重み付け値を有するサブフィールドによって両フレーム間の発光中心がずれてしまい、フリッカが発生する。
【００２７】
本発明では、垂直同期信号が奇数か偶数かによって、奇数フレームの場合は、フレーム期間を延ばし、偶数フレームの場合は、フレーム期間を減らすことで両フレーム間の発光中心を一致させることができる。このとき、フレーム期間の変更によって、フレーム期間内に配列される両フレームが同時に移動するようになる。即ち、フレーム期間が長くなる場合、奇数フレームは左側に移動し、フレーム期間が短くなる場合、偶数フレームは、右側に移動するようになる。
【００２８】
具体的には、垂直同期信号判断部３１により入力された垂直同期信号が奇数とカウントされた場合は、フレーム期間可変（変更）部３４は、フレーム期間を延ばし、これとは反対に、垂直同期信号判断部３１により入力された垂直同期信号が偶数とカウントされた場合は、フレーム期間可変（変更）部３４は、フレーム期間を減らすようになる。このとき、フレーム期間は、第１の垂直同期信号と第２の同期信号との間の長さを調整することで容易に変更できる。
【００２９】
例えば、第１の垂直同期信号が奇数とカウントされる場合は、フレーム期間（第１のフレーム期間）を延ばす必要があるため、フレーム期間可変（変更）部３４は、第１の垂直同期信号を出力した後、第２の垂直同期信号を出力する時点より遅延される時点に出力させるようにする。第１の垂直同期信号が奇数とカウントされる場合は、第２の垂直同期信号は、自動的に偶数とカウントされるようになり、かかる場合は、フレーム期間（第２のフレーム期間）を減らす必要があるため、フレーム期間可変（変更）部３４は、第２の垂直同期信号を出力した後、次の同期信号である第３の垂直同期信号を出力する時点より早く出力させるようにする。このとき、第１のフレーム期間と第２のフレーム期間の全体長さは、一定に維持されることが好ましい。
【００３０】
フレーム配列部３７は、フレーム期間可変（変更）部３４で変更されたフレーム期間内に、所定のフレームを配列させる。このとき、フレームは、変更されたフレーム期間に従って移動される。即ち、変更されたフレーム期間が長くなると、フレームは、左側に移動して配列され、変更されたフレーム期間が短くなると、フレームは、右側に移動して配列される。
【００３１】
なお、本発明の第１の実施例に係る駆動装置は、判断された垂直同期信号によってフレーム期間を変更する場合、階調を考慮し、その変更程度を異ならせて設定することができる。換言すれば、高階調の場合、低階調である場合に比べて変更の程度を３〜４倍大きくすることができる。
【００３２】
通常、低階調の場合、発光中心の不一致によるフリッカの発生は、微々たるものであるが、高階調の場合は、発光中心の不一致によるフリッカの発生は、画質に致命的な影響を与える。従って、低階調よりは、高階調の場合においてフレーム期間をより長くまたはより短く変更する必要がある。
【００３３】
図８乃至図１１Ｂを参照して、階調を考慮した場合におけるフレーム期間を変化させる方法について説明する。
図８は、本発明の第１の実施例に係る高階調を表現する場合、αだけ変化させたフレーム期間に配列されるフレームを示すものである。図９Ａおよび図９Ｂは、図８のようにフレームが配列される場合において、発光中心が一致することを示している。図１０は、本発明の第１の実施形態に係る低階調を表現する場合、βだけ変化させたフレーム期間に配列されるフレームを示すものである。図１１Ａおよび図１１Ｂは、図１０のようにフレームが配列される場合において、発光中心が一致することを示している。
【００３４】
高階調の場合、図８に示されたように第１のフレーム期間をαだけ延ばし、第２のフレーム期間を、αだけ減らすようになる。なお、αの値は、５００μ以下に設定されることが好ましい。即ち、第１のフレーム期間は、両側に同じくα／２ずつ増えて全体としてαだけ長くなり、また、第２のフレーム期間は、両側に同じくα／２ずつ減って全体としてαだけ短くなる。
【００３５】
前述のように各フレーム期間が変更されるに従い、各フレーム期間内に配列される第１および第２のフレームは、移動するようになる。第１のフレーム期間と同様に長くなる場合、第１のフレームは、第１の垂直同期信号方向に向かって左側に、第１のフレーム期間が長くなる分だけ移動されるように配列され、これとは反対に、第２のフレーム期間と同様に短くなる場合、第２のフレームは、第３の垂直同期信号方向に向かって右側に、第２のフレーム期間が短くなる分だけ移動されるように配列される。
【００３６】
詳しくは、図９Ａおよび図９Ｂに示されたように、第１のフレームの発光中心Ｃ１１は、第２のフレームの発光中心Ｃ１２より時間的に遅れて位置する。かかる場合、第１のフレーム期間を長くなるように変更すると、第１のフレームは、左側に移動し、これにより、第１のフレームの発光中心Ｃ１１も右側に移動されるようになる。これに対し、第２のフレーム期間を短くなるように変更すると、第２のフレームは、右側に移動し、これにより、第２のフレームの発光中心Ｃ１２も右側に移動される。従って、第１のフレーム期間を長くなるように変更し、第２のフレーム期間を短くなるように変更すると、第１のフレームの発光中心Ｃ１１と第２のフレームの発光中心Ｃ１２とが一致し、フリッカが発生しなくなり、輝度をより向上させて画質を改善することが可能となる。
【００３７】
なお、低階調の場合、図１０に示されたように第１のフレーム期間をβだけ延ばし、第２のフレーム期間をβだけ減らすようになる。なお、βの値は、１００μ以下に設定されることが好ましい。即ち、第１のフレーム期間は、両側に同じくβ／２ずつ増えて全体としてαだけ長くなり、また、第２のフレーム期間は、両側に同じくβ／２ずつ減って全体としてβだけ短くなる。
【００３８】
前述のように各フレーム期間が変更されるに従い、各フレーム期間内に配列される第１および第２のフレームは、移動するようになる。第１のフレーム期間と同様に長くなる場合、第１のフレームは、第１の垂直同期信号方向に向かって左側に、第１のフレーム期間が長くなる分だけ移動されるように配列され、これとは反対に、第２のフレーム期間と同様に短くなる場合、第２のフレームは、第３の垂直同期信号方向に向かって右側に、第２のフレーム期間が短くなる分だけ移動されるように配列される。
【００３９】
詳しくは、図１１Ａおよび図１１Ｂに示されるように、第１のフレームの発光中心Ｃ２１は、第２のフレームの発光中心Ｃ２２より時間的に遅れて位置する。かかる場合、第１のフレーム期間を長くするように変更すると、第１のフレームは、左側に移動し、これにより、第１のフレームの発光中心Ｃ２１も右側に移動されるようになる。これに対し、第２のフレーム期間を短くするように変更すると、第２のフレームは、右側に移動し、これにより、第２のフレームの発光中心Ｃ２２も右側に移動されるようになる。従って、第１のフレーム期間を長くなるように変更し、第２のフレーム期間を短くなるように変更すると、第１のフレームの発光中心Ｃ２１と第２のフレームの発光中心Ｃ２２とが一致し、フリッカが発生しなくなり、輝度をより向上させて画質を改善することが可能となる。
【００４０】
前述のように、階調の高低によって第１のフレーム期間または第２のフレーム期間の可変程度を異ならせて設定することができる。即ち、低階調である場合の可変程度（α）を、低階調である場合の可変程度（β）に比べて、およそ５倍程度大きく設定することができる。
なお、階調の代わりにＡＰＬによって、第１および第２のフレーム期間の可変程度を異ならせて設定することもできる。
【００４１】
図１２は、本発明の好適な第２の実施形態に係るＰＤＰの駆動装置を示す図である。
同図に示されたように、本発明の第２の実施例に係るＰＤＰの駆動装置は、垂直同期信号判断部６１、フレーム期間可変（変更）部６４およびフレーム配列部６７で構成される。なお、垂直同期信号判断部６１は、前述と同様である。
フレーム期間可変（変更）部６４は、垂直同期信号判断部６１から提供された判断結果に従ってフレーム期間を変更する。このとき、フレーム期間は、垂直同期信号と次の垂直同期信号との間の長さを意味する。換言すれば、フレーム期間可変（変更）部６４は、提供された判断結果に基づいて、垂直同期信号と次の垂直同期信号との間のフレーム期間を変更する。
【００４２】
このとき、フレーム期間可変（変更）部６４は、ＡＰＬによって変更されるフレーム期間の変更の程度を設定することができる。
フレーム配列部６７は、フレーム期間可変（変更）部６４で変更されたフレーム期間内に所定のフレームを配列させる。このとき、フレームは、変更されたフレーム期間に従って移動する。即ち、変更されたフレーム期間が長くなると、フレームは、左側に移動して配列され、可変されたフレーム期間が短くなると、フレームは、右側に移動して配列される。
【００４３】
以下、図１３乃至図１６Ｂを参照して、ＡＰＬによってフレーム期間を変更する方法を説明する。
図１３は、本発明の第２の実施形態に係るＡＰＬが大きな場合、αだけ変更されたフレーム期間に配列されるフレームを示すものである。図１４Ａおよび図１４Ｂは、図１３のようにフレームが配列される場合において発光中心が一致することを示している。図１５は、本発明の第２の実施例に係るＡＰＬが小さな場合、βだけ変更されたフレーム期間に配列されるフレームを示すものである。図１６Ａおよび図１６Ｂは、図１５のようにフレームが配列される場合において発光中心が一致することを示している。
【００４４】
通常、ＡＰＬの小さな場合は、発光中心の不一致によるフリッカの発生は、微々たるものであるが、ＡＰＬの大きな場合は、発光中心の不一致によるフリッカの発生は、画質に致命的な影響を与える。従って、ＡＰＬの小さな場合よりは、ＡＰＬの大きな場合においてフレーム期間を、より長くまたはより短く可変させる必要がある。
【００４５】
ＡＰＬが大きな場合、図１３に示されたように第１のフレーム期間をαだけ延ばし、第２のフレーム期間はαだけ減らすようになる。なお、αの値は、５００μ以下に設定されることが好ましい。即ち、第１のフレーム期間は、両側に同じくα／２ずつ増えて全体としてαだけ長くなり、また、第２のフレーム期間は、両側に同じくα／２ずつ減って全体としてαだけ短くなる。
【００４６】
前述のように各フレーム期間が変更されるに従い、各フレーム期間内に配列される第１および第２のフレームは、移動するようになる。第１のフレーム期間と同様に長くなる場合、第１のフレームは、第１の垂直同期信号方向に向かって左側に、第１のフレーム期間が長くなる分だけ移動されるように配列され、これとは反対に、第２のフレーム期間と同様に短くなる場合、第２のフレームは、第３の垂直同期信号方向に向かって右側に、第２のフレーム期間が短くなる分だけ移動されるように配列される。
【００４７】
詳しくは、図１４Ａおよび図１４Ｂに示されたように、第１のフレームの発光中心Ｃ３１は、第２のフレームの発光中心Ｃ３２より時間的に遅れて位置する。かかる場合、第１のフレーム期間を長くするように変更すると、第１のフレームは、左側に移動し、これにより、第１のフレームの発光中心Ｃ３１も右側に移動される。これに対し、第２のフレーム期間を短くするように変更すると、第２のフレームは、右側に移動し、これにより、第２のフレームの発光中心Ｃ３２も右側に移動されるようになる。従って、第１のフレーム期間を長くなるように変更し、第２のフレーム期間を短くなるように変更すると、第１のフレームの発光中心Ｃ３１と第２のフレームの発光中心Ｃ３２とが一致し、フリッカが発生しなくなり、輝度をより向上させて画質を改善することが可能となる。
【００４８】
なお、ＡＰＬが小さな場合は、図１５に示されたように第１のフレーム期間をβだけ延ばし、第２のフレーム期間はβだけ減らすようになる。なお、βの値は、１００μ以下に設定されることが好ましい。即ち、第１のフレーム期間は、両側に同じくβ／２ずつ増えて全体としてαだけ長くなり、また、第２のフレーム期間は、両側に同じくβ／２ずつ減って全体としてβだけ短くなる。
【００４９】
前述のように各フレーム期間が変化するに従い、各フレーム期間内に配列される第１および第２のフレームは、移動するようになる。第１のフレーム期間と同様に長くなる場合、第１のフレームは、第１の垂直同期信号方向に向かって左側に、第１のフレーム期間が長くなる分だけ移動されるように配列され、これとは反対に、第２のフレーム期間と同様に短くなる場合、第２のフレームは、第３の垂直同期信号方向に向かって右側に、第２のフレーム期間が短くなる分だけ移動されるように配列される。
【００５０】
詳しくは、図１６Ａおよび図１６Ｂに示されるように、第１のフレームの発光中心Ｃ４１は、第２のフレームの発光中心Ｃ４２より時間的に遅れて位置する。かかる場合、第１のフレーム期間を長くするように変化させると、第１のフレームは、左側に移動し、これにより、第１のフレームの発光中心Ｃ４１も右側に移動されるようになる。これに対し、第２のフレーム期間を短くするように変化させると、第２のフレームは、右側に移動し、これにより、第２のフレームの発光中心Ｃ４２も右側に移動されるようになる。従って、第１のフレーム期間を長くなるように変化させ、第２のフレーム期間を短くなるように変化させると、第１のフレームの発光中心Ｃ４１と第２のフレームの発光中心Ｃ４２とが一致し、フリッカが発生しなくなり、輝度をより向上させて画質を改善することが可能となる。
【００５１】
前述のように、ＡＰＬの大小によって第１のフレーム期間または第２のフレーム期間の変化の程度を異ならせて設定することができる。即ち、ＡＰＬが大きな場合の変化の程度（α）を、ＡＰＬが小さな場合の変化の程度（β）に比べて、およそ５倍程度大きく設定することができる。
【００５２】
なお、以上のような駆動方法は、入力が、５０Ｈｚモードまたは６０Ｈｚモードだけでなく、その他の周波数モードの場合においても適用可能である。また、前述の駆動方法は、階調を表現するためディザリング（Dithering）方法に通常用いられ、特に効果が得られる。
【００５３】
以上のように、本発明のプラズマディスプレイパネルの駆動装置は、２つの垂直同期信号によって決定されるフレーム期間を変化させて発光中心を一致させることで、互いに異なった輝度重み付け値を有する２つのフレームを交互に配列する時に発生するフリッカを抑制し、これにより、輝度が向上し、画質が改善される。
【図面の簡単な説明】
【００５４】
【図１】従来の３電極交流面放電型ＰＤＰの放電セルを示す図である。
【図２】一般の８つのサブフィールドからなるフレームを示す図である。
【図３】一般のＡＰＬによるサステインパルスの個数に関するグラブである。
【図４】従来のＰＤＰの駆動方法を示す電圧波形図である。
【図５】従来の同一のフレーム期間に各フレームを配列する方式を示す図である。
【図６Ａ】従来の互いに異なる輝度重み付け値を有する２つのフレームの構成を示す図である。
【図６Ｂ】従来の互いに異なる輝度重み付け値を有する２つのフレームの構成を示す図である。
【図７】本発明の好適な第１の実施形態に係るＰＤＰの駆動装置を示す図である。
【図８】本発明の第１の実施形態に係る高階調を表現する場合、αだけ変化したフレーム期間に配列されるフレームを示す図である。
【図９Ａ】図８のようにフレームが配列される場合において、発光中心が一致することを示す図である。
【図９Ｂ】図８のようにフレームが配列される場合において、発光中心が一致することを示す図である。
【図１０】本発明の第１の実施形態に係る低階調を表現する場合、βだけ変化したフレーム期間に配列されるフレームを示す図である。
【図１１Ａ】図１０のようにフレームが配列される場合において、発光中心が一致することを示す図である。
【図１１Ｂ】図１０のようにフレームが配列される場合において、発光中心が一致することを示す図である。
【図１２】本発明の好適な第２の実施形態に係るＰＤＰの駆動装置を示す図である。
【図１３】本発明の第２の実施形態に係るＡＰＬが大きな場合、αだけ変化させたフレーム期間に配列されるフレームを示す図である。
【図１４Ａ】図１３のようにフレームが配列される場合において、発光中心が一致することを示す図である。
【図１４Ｂ】図１３のようにフレームが配列される場合において、発光中心が一致することを示す図である。
【図１５】本発明の第２の実施形態に係るＡＰＬが小さな場合、βだけ変化させたフレーム期間に配列されるフレームを示す図である。
【図１６Ａ】図１５のようにフレームが配列される場合において、発光中心が一致することを示す図である。
【図１６Ｂ】図１５のようにフレームが配列される場合において、発光中心が一致することを示す図である。
【符号の説明】
【００５５】
３１、６１    垂直同期信号判断部
３４、６４    フレーム期間可変（変更）部
３７、６７    フレーム配列部
Ｃ１１、Ｃ２１、Ｃ３１、Ｃ４１    第１のフレームの発光中心
Ｃ１２、Ｃ２２、Ｃ３２、Ｃ４２    第２のフレームの発光中心
【図１】
2004318163.tif 000002
【図２】
2004318163.tif 000003
【図３】
2004318163.tif 000004
【図４】
2004318163.tif 000005
【図５】
2004318163.tif 000006
【図６Ａ】
2004318163.tif 000007
【図６Ｂ】
2004318163.tif 000008
【図７】
2004318163.tif 000009
【図８】
2004318163.tif 000010
【図９Ａ】
2004318163.tif 000011
【図９Ｂ】
2004318163.tif 000012
【図１０】
2004318163.tif 000013
【図１１Ａ】
2004318163.tif 000014
【図１１Ｂ】
2004318163.tif 000015
【図１２】
2004318163.tif 000016
【図１３】
2004318163.tif 000017
【図１４Ａ】
2004318163.tif 000018
【図１４Ｂ】
2004318163.tif 000019
【図１５】
2004318163.tif 000020
【図１６Ａ】
2004318163.tif 000021
【図１６Ｂ】
2004318163.tif 000022